(57)【要約】      （修正有）【課題】シャワーを終えて収容空間に入れられたペットに対し、ペットの全身の乾燥作業を行なえ、便利で、スピーディーにペットを乾燥するペット用乾燥装置を提供する。【解決手段】箱体１、乾燥モジュール２を包含し、箱体の内部に収容空間１０があり、該収容空間の一側にドア１１が設けられ、別側に出気ダクト１２があり空気を外向きに送出し、該箱体に乾燥モジュールが設置され、乾燥モジュールの乾燥器具２１がペットに対して送風を実行し、且つ入気ダクトより外部空気を乾燥器具に導入し、さらに乾燥器具の出口部分にコントロールバルブ２２が設けられ、コントロールバルブの一側に外部に延伸された延伸管２２２が設けられ、別側に箱体の収容空間内に進入する導入管２２３が設けられ、延伸管で箱体外部でペットに送風できるほか、ペットを箱体の収容空間内に入れ、乾燥器具の導入管で収容空間内のペットに対して乾燥処理を行なえ、ペットを乾かすのに便利である。【選択図】図１
0003166426.tif 000002
【実用新案登録請求の範囲】
【請求項１】
ペット用乾燥装置において、箱体と乾燥モジュールを包含し、
該箱体の内部にドアを具えた収容空間があり、並びに収容空間の一側に空気を外に排出、送出する出気ダクトが設けられ、
該乾燥モジュールは該箱体に取付けられ、乾燥機具を収容する収容室を具え、該収容室の側辺に、外部空気を進入させる入気ダクトが設けられ、該乾燥機具の一側に熱エネルギーを送出する出口があり、該出口に送出方向の変換操作のためのコントロールバルブが接続され、該コントロールバルブの一側に、該箱体の外部で乾燥作業を行うための延伸管が接続され、別側に該箱体の収容空間内に連通する導入管が設けられたことを特徴とする、ペット用乾燥装置。
【請求項２】
請求項１記載のペット用乾燥装置において、該箱体内部の収容空間の一側に設けられた出気ダクトは、外部に空気を排出するための複数の空気孔を有し、該複数の空気孔の側辺は、該収容空間内のペットの体毛、塵屑或いはゴミの外部への排出を防止するフィルタネットで覆われたことを特徴とする、ペット用乾燥装置。
【請求項３】
請求項１記載のペット用乾燥装置において、該乾燥モジュールの乾燥機具は送風機、ヒーター、或いは温風機とされ、乾燥作業を行える機具とされ、該乾燥モジュールは収容室を具えたケース、乾燥機具、コントロールバルブを包含し、該ケースの収容室に該乾燥機具が設置され、該乾燥機具の一側に該ケース外に露出して操作に供されるコントロールバルブが接続され、該コントロールバルブの一側に、該ケース外に伸出する延伸管が接続され、別側に外部に貫通する導入管が設けられ、該ケースの一側に外部空気を進入させる入気ダクトが設けられ、該入気ダクトは複数の貫通孔を具え、該複数の貫通孔の側辺が、塵屑、ゴミ或いは異物の進入を防止するフィルタネットで覆われ、該乾燥機具に、該ケース表面に位置して温度、風量、速度、設定時間或いは乾燥機具のオンオフ切り換えを行うためのコントロールパネルが設けられ、該コントロールパネルに複数の調整つまみ、及び電源スイッチが設けられたことを特徴とする、ペット用乾燥装置。
【考案の詳細な説明】
【技術分野】
【０００１】
本考案は一種のペット用乾燥装置に係り、特にペットの身体の水分を乾燥させるための装置で、シャワーを終えて収容空間に入れられたペットに対し、乾燥モジュールを利用してペットの全身の乾燥作業を行なえ、便利で、スピーディーにペットを乾燥する目的を達成する、ペット用乾燥装置に関する。
【背景技術】
【０００２】
社会形態の変化に伴い、独り暮らし人口の増加、少子化の衝撃は、いずれも人類の生活習慣を変化させ、このためますます多くの人が、生活中で伴侶を求めるのに、時間を費やしており、ペットの飼育は生活上のパートナー、精神上のよりどころとなり、ますます多くの飼い主のペットの愛玩に拍車がかかり、高級なペット食品を与えるほか、ペットの身体の清潔、美容、保養に相当大きな精力を費やしている。ペットの飼い主の要求を満足させるため、市場には多くのペットショップ、ペットの美容院が続々と開設されている。
【０００３】
ペット美容の基本作業は一般に、ペットのシャワー、洗浄であり、一般的な猫、犬などのペットは、シャンプーによる洗浄、水によるリンス、乾燥が必要である。ペットのシャワー後の乾燥作業は、ほとんどの業者はまず毛布或いはタオルで、ペットの体の余分の水分を拭き取り、さらにドライヤーでペットに風を吹き付けて、ペットの乾燥を行っている。
【考案の概要】
【考案が解決しようとする課題】
【０００４】
しかしドライヤーによる乾燥は相当に長い時間がかかるほか、乾燥の効果が有限であり、一部の飼い主は自分でペットのシャワー、洗浄を行い、タオルとドライヤーで乾かすが、実際の作業過程で、以下のような多くの不便と問題がある。
【０００５】
（１）ペットをドライヤーで送風して乾かす時、ドライヤーの送風口は相当に小さく、送風の範囲は大きくないため、ペットの身体を頭から尾まで乾燥させるのに、相当に多くの時間、電気代がかかり、もし大型のペットの乾燥作業である場合、さらに多くの時間がかかり、さらに、ペットが乾燥過程中に、からだを捩じったり、走ったり、震えたりすることで、乾燥作業の面倒と不便が形成された。
【０００６】
（２）ペットをシャワーした後、身体に残留する一部の水滴は、ペットが本能的に体を震わせることで、大部分が撥ね飛ばされるが、周辺環境が撥ね飛ばされた水で濡れ、後で掃除するのが相当に面倒であった。
【０００７】
ゆえに、いかに上述の周知のペットの洗浄乾燥の問題を解決し、乾燥後の環境の掃除の不便と面倒の欠点を解決するかが、当業者にとって研究改善をすべき方向であった。
【０００８】
ゆえに、本考案者は上述の問題と欠点を鑑み、関係資料を収集し、多方面の評価及び考察及び実験を経て、成功経験を累積し、不断の試作と改良を重ね、はじめてこのようなペットに対してスピーディーに乾燥処理が行え、ペットの身体についた水分を四方に飛散させず、環境を清潔に保持できるペット用乾燥装置を完成した。
【課題を解決するための手段】
【０００９】
請求項１の考案は、ペット用乾燥装置において、箱体と乾燥モジュールを包含し、
該箱体の内部にドアを具えた収容空間があり、並びに収容空間の一側に空気を外に排出、送出する出気ダクトが設けられ、
該乾燥モジュールは該箱体に取付けられ、乾燥機具を収容する収容室を具え、該収容室の側辺に、外部空気を進入させる入気ダクトが設けられ、該乾燥機具の一側に熱エネルギーを送出する出口があり、該出口に送出方向の変換操作のためのコントロールバルブが接続され、該コントロールバルブの一側に、該箱体の外部で乾燥作業を行うための延伸管が接続され、別側に該箱体の収容空間内に連通する導入管が設けられたことを特徴とする、ペット用乾燥装置としている。
請求項２の考案は、請求項１記載のペット用乾燥装置において、該箱体内部の収容空間の一側に設けられた出気ダクトは、外部に空気を排出するための複数の空気孔を有し、該複数の空気孔の側辺は、該収容空間内のペットの体毛、塵屑或いはゴミの外部への排出を防止するフィルタネットで覆われたことを特徴とする、ペット用乾燥装置としている。
請求項３の考案は、請求項１記載のペット用乾燥装置において、該乾燥モジュールの乾燥機具は送風機、ヒーター、或いは温風機とされ、乾燥作業を行える機具とされ、該乾燥モジュールは収容室を具えたケース、乾燥機具、コントロールバルブを包含し、該ケースの収容室に該乾燥機具が設置され、該乾燥機具の一側に該ケース外に露出して操作に供されるコントロールバルブが接続され、該コントロールバルブの一側に、該ケース外に伸出する延伸管が接続され、別側に外部に貫通する導入管が設けられ、該ケースの一側に外部空気を進入させる入気ダクトが設けられ、該入気ダクトは複数の貫通孔を具え、該複数の貫通孔の側辺が、塵屑、ゴミ或いは異物の進入を防止するフィルタネットで覆われ、該乾燥機具に、該ケース表面に位置して温度、風量、速度、設定時間或いは乾燥機具のオンオフ切り換えを行うためのコントロールパネルが設けられ、該コントロールパネルに複数の調整つまみ、及び電源スイッチが設けられたことを特徴とする、ペット用乾燥装置としている。
【考案の効果】
【００１０】
本考案のペット用乾燥装置の設計は、ペットを箱体の収容空間に入れて、乾燥機具の導入管で熱エネルギーを収容空間に送り、ペットを乾燥でき、ペットの身体に残留する水分の四散を防止できるほか、箱体内での乾燥作業によりペットのシャワー後の送風、乾燥のステップをスピーディーに処理できる。さらに、乾燥モジュールの乾燥機具の延伸管により、箱体外部に熱エネルギーを送出してペットに対して外部でスタイリングが行える。こうして、ペットのシャワー後の関係作業をスピーディーに処理できる長所がある。且つペットの乾燥過程で身体の水分は箱体内に撥ね飛ばされるため、環境をきれいに保つことができる。
【図面の簡単な説明】
【００１１】
【図１】本考案の立体外観図である。
【図２】本考案の好ましい実施例の立体外観図である。
【図３】本考案の別の好ましい実施例の立体外観図である。
【図４】本考案のさらに別の好ましい実施例の立体外観図である。
【考案を実施するための形態】
【００１２】
本考案は、該乾燥装置の箱体の内部の収容空間の一側に、ドアが設けられ、別側に出気ダクトが設けられ、箱体に乾燥モジュールが設置され、乾燥機具を利用して乾燥作業を行え、さらに乾燥機具の出口部分にコントロールバルブが設けられ、該コントロールバルブの一側に外部に延伸された延伸管が接続され、別側に収容空間内に進入する導入管が接続され、これにより、先にシャワーを済ませたペットに対して延伸管で乾燥作業を行えるほか、シャワー後に収容空間内に入れられたペットに対し乾燥機具の導入管でペットに対して乾燥作業を行え、こうしてペットの乾燥に便利な効果を達成している。
【００１３】
本考案において、該乾燥モジュールはケース、乾燥機具、コントロールバルブを包含し、該ケースは内部の収容室に乾燥機具が設置され、且つ乾燥機具の出口に該コントロールバルブが連設され、並びにコントロールバルブがケース外部に延伸され、さらにケース外表面にコントロールパネルが設けられて乾燥機具に接続され、乾燥機具の動作、調整の制御に用いられ、すなわちコントロールバルブの一側に外部に延伸された延伸管が設けられ、別側にケース外部に貫通する導入管が設けられ、ケースの一側に外部に貫通する入気ダクトが設けられ、並びに乾燥モジュールのケースが箱体に取付けられ、且つ導入管が箱体の収容空間に貫通する。
【００１４】
本考案の技術内容、構造特徴、達成する目的を詳細に説明するため、以下に実施例を挙げ並びに図面を組み合わせて説明する。
【００１５】
図１、２を参照されたい。それらは本考案の立体外観図と、好ましい実施例の立体外観図である。図から明かであるように、本考案のペット用乾燥装置は、箱体１と、乾燥モジュール２を包含する。
【００１６】
そのうち、該箱体１の内部には収容空間１０があり、該収容空間１０の一側にドア１１が設けられ、該ドア１１は可動式に開閉される。収容空間１０の別側には出気ダクト１２が設けられて、該出気ダクト１２は外部に貫通する。すなわち、該出気ダクト１２に複数の空気孔１２０が設けられ、空気を外部に排出、送出できる。さらに該出気ダクト１２の複数の空気孔１２０の内側はフィルタネット１３で覆われ、収容空間１０内のペットの体毛、塵屑、ゴミなどが外部空間に排出されるのを防止する。
【００１７】
該乾燥モジュール２は乾燥機具２１、コントロールバルブ２２及びケース２３を包含する。乾燥機具２１は乾燥作用を具えた機体であり、一側の出口２１０にコントロールバルブ２２の三方管２２１が接続され、別側には導入管２２３が接続され、並びに該乾燥機具２１及び一側に接続された三方管２２１は、ケース２３内部の収容室２３０中に設置され、さらに、三方管２２１のコントロールバルブ２２が、ケース２３外部に伸出し、コントロールバルブ２２は回転操作による方向変更に供される。
【００１８】
且つコントロールバルブ２２の一側の延伸管２２２もまたケース２３外部に伸出し、別側の導入管２２３はケース２３外へと貫通し、並びにケース２３の外表面にコントロールパネル２４が設けられ、コントロールパネル２４が乾燥機具２１に接続され、並びにコントロールパネル２４に設けられた複数の調整つまみ２４１、電源スイッチ２４２により、乾燥機具２１の動作が制御される。
【００１９】
さらに該ケース２３の別側面には入気ダクト２５が設けられ、該入気ダクト２５には複数の貫通孔２５０が設けられ、外部空気の収容室２３０への進入に供され、並びに入気ダクト２５内はフィルタネット２６で被覆されて、外部の塵屑、ゴミ或いは異物が収容室２３０に進入するのを防止している。
【００２０】
上述の各部品が組み合わされる時、箱体１の情報に乾燥モジュール２が設置され、且つ乾燥モジュール２の乾燥機具２１は三方管２２１を介してコントロールバルブ２２に接続され、すなわち、三方管２２１の一側の導入管２２３が収容空間１０内に貫通し、三方管２２１の別側の延伸管２２２が箱体１外部に延伸され、こうして本考案の乾燥装置が構成される。
【００２１】
上述の乾燥モジュール２は、ケース２３を利用して箱体１に取付けられ、すなわち、ケース２３の収容室２３０に設置された乾燥機具２１、三方管２２１が、箱体１に位置決めされる。且つ乾燥モジュール２の乾燥機具２１は、送風機、ヒーター或いは温風機などとされ得て、乾燥作業を実行できる機具とされ、且つコントロールバルブ２２の一側に連設された延伸管２２２は、末端に拡散管２２４が接続されている。
【００２２】
図２、３、４を参照されたい。それらは本考案の好ましい実施例の立体外観図、別の実施例の立体外観図、さらに別の実施例の立体外観図である。図から分かるように、本考案の乾燥装置は、使用時に、箱体１に取付けられた乾燥モジュール２を利用し、コントロールパネル２４の複数の調整つまみ２４１、電源スイッチ２４２等により、乾燥機具２１が起動されて熱エネルギー（熱風或いは熱気など）が生成され、乾燥機具２１により熱エネルギーが出口２１０よりコントロールバルブ２２の三方管２２１に送られ、並びにコントロールバルブ２２の操作、調整により、熱エネルギーが延伸管２２２或いは導入管２２３をとおり排出される。
【００２３】
すなわち、コントロールバルブ２２の操作により、熱エネルギーを延伸管２２２より送出して、延伸管２２２の末端の拡散管２２４よりペットの身体に向けて送風するか、或いは、コントロールバルブ２２の操作により熱エネルギーを導入管２２３より箱体１の収容空間１０に送り、収容空間１０中に入れられたペットに対して、乾燥処理を行う。
【００２４】
こうして、ペットは収容空間１０中で熱エネルギーを受け、乾かされる。ペットのシャワー後に、身体に残留する水滴は、ペットが箱体１の収容空間１０に入れられて、ペットが体を震わせることで払い落とされ、水滴が四方に飛散することがなく、周囲の環境を清潔に保つことができ、作業員がペットの身体の水滴を浴びて濡れることがない。
並びにペットが収容空間１０より取り出された後は、延伸管２２２でペットの毛の整理、デザイン、美容を実行することができる。
【００２５】
乾燥装置の運転過程中に、乾燥装置の乾燥機具２１はケース２３の収容室２３０中に置かれ、すなわち、ケース２３の収容室２３０の側面に設けられた入気ダクト２５により、外部空気が収容室２３０に進入し、乾燥機具２１の運転に使用され、且つ乾燥機具２１は出口２１０より熱エネルギー（熱風或いは熱気など）を送出し、コントロールバルブ２２の三方管２２１を経て、さらに導入管２２３を経て箱体１の収容空間１０に導入し、収容空間１０の一側に設けられた出気ダクト１２より空気が外部に排出、送出される。これにより収容空間１０中の熱エネルギーが順調に流動し、熱エネルギーが収容空間１０中に集中して排出不能となるのを防止し、また、収容空間１０中の熱エネルギーが溜まり、温度上昇をまねくのを防止し、ペットの収容空間１０中での乾燥作業を便利にスピーディーに行えるようにする。
【００２６】
以上述べたことは、本考案の実施例にすぎず、本考案の実施の範囲を限定するものではない。本考案のペット用乾燥装置は、箱体１に乾燥モジュール２が設置され、且つ乾燥モジュール２の乾燥機具２１の、出口２１０部分にコントロールバルブ２２の三方管２２１が接続され、該コントロールバルブ２２の一側に該延伸管２２２が接続され、別側に導入管２２３が接続され、並びに導入管２２３が箱体１内部の収容空間１０に貫通し、すなわち、乾燥機具２１により熱エネルギー（熱風或いは熱気など）が発生し、さらにコントロールバルブ２２に伝送されて調整されて該延伸管２２２或いは導入管２２３より外部に送出される。
【００２７】
こうして、延伸管２２２で箱体１外部でペットに熱風を送風できるほか、先にシャワー処理を行ったペットを箱体１の収容空間１０に入れて、乾燥機具２１で熱エネルギーを発生し、導入管２２３で箱体１内に熱風を送り、乾燥作業を行う目的を達成し、ペットの身体に残留する水分を吹き飛ばし、乾かし、ペットをスピーディーに乾かすことができる。
【００２８】
前述の効果を達成する構造、装置はいずれも本考案のカバー内にあり、このような簡易な修飾及び同等の構造変化は、いずれも本考案の権利範囲内に属する。
【００２９】
上述の本考案のペット用乾燥装置は、実際の使用時に、以下のような各種の長所を有する。
【００３０】
（一）箱体１内部の収容空間１０にペットを入れて、収容空間１０においてペットに導入管２２３が導入する乾燥機具２１の熱風を受けさせてペットを乾かすことができ、ペットの体型の影響を受けず、また、ペットを走り回させることなく、順調にペットに対して乾燥作業を行える。
【００３１】
（二）ペットの身体に残留する水分は、ペットを箱体１の収容空間１０に入れた後、ペットが身体を震わせることで撥ね飛ばされ、水分が四散することがなく、周囲の環境に対して影響を及ぼすことがなく、すなわち、作業員の不便を形成することがなく、ペットの乾燥作業の時間を短縮できる。
【００３２】
（三）延伸管２２２でペットに対して先に送風し、ペットを箱体１内に入れて乾燥させた後、ペットを箱体１より取り出して、再度延伸管２２２で乾燥機具２１から引き込んだ熱エネルギーを利用し、ペットの毛に対して乾燥、スタイリングを行うことができ、美容作業を順調に進めることができ、便利である。
【００３３】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００３４】
１  箱体
１０  収容空間                １２０  空気孔
１１  ドア                    １３  フィルタネット
１２  出気ダクト
２  乾燥モジュール
２１  乾燥機具                ２３０  収容室
２１０  出口                  ２４  コントロールパネル
２２  コントロールバルブ      ２４１  調整つまみ
２２１  三方管                ２４２  電源スイッチ
２２２  延伸管                ２５  入気ダクト
２２３  導入管                ２５０  貫通孔
２２４  拡散管                ２６  フィルタネット
２３  ケース
【図１】
0003166426.tif 000003
【図２】
0003166426.tif 000004
【図３】
0003166426.tif 000005
【図４】
0003166426.tif 000006